(57)【要約】【課題】  送信に関する各種機能をユーザが使用しやすいように設定可能とする。【解決手段】  ファクシミリ装置は、公衆回線を介して他のファクシミリ装置と文書の送受信を行う。送信に関する各種機構を同時に組み合わせて指定可能か否かを予め設定すると共に、送信に関する各種機能を同時に一覧可能か否かを予め設定した機能相関テーブルと、一の機能の指定が行われたとき、当該一の機能と同時指定不可能な機能を機能相関テーブルから検索し、同時指定不可能な機能が指定されていない場合は上記一の機能の指定を有効とする一方、同時指定不可能な機能が指定されている場合は上記一の機能の指定を無効とする機能指定制御手段とを備える。【選択図】  図４
2006148713.tif 000002
【特許請求の範囲】
【請求項１】
公衆回線を介して他のファクシミリ装置と文書の送受信を行うファクシミリ装置であって、
送信に関する各種機構を同時に組み合わせて指定可能か否かを予め設定すると共に、送信に関する各種機能を同時に一覧可能か否かを予め設定した機能相関テーブルと、
一の機能の指定が行われたとき、当該一の機能と同時指定不可能な機能を機能相関テーブルから検索し、同時指定不可能な機能が指定されていない場合は上記一の機能の指定を有効とする一方、同時指定不可能な機能が指定されている場合は上記一の機能の指定を無効とする機能指定制御手段とを有することを特徴とするファクシミリ装置。
【請求項２】
前記一の機能と同時指定不可能な機能を設定するための操作パネル上のボタンを半輝度表示し、指定できないことをユーザに通知することを特徴とする請求項１記載のファクシミリ装置。
【請求項３】
前記指定不可能を表示する半輝度表示となっている前記ボタンを押下した場合に、指定不可の原因である既に指定済の機能を表示することを特徴とする請求項２記載のファクシミリ装置。
【請求項４】
上記一の機能と同時指定不可能な機能が指定されている場合において、上記機能指定制御手段は、当該機能と上記一の機能とが同時一覧可能か否かを機能相関テーブルから検索し、同時一覧不可能な場合は上記一の機能の指定を無効とし、同時一覧可能な場合は上記同時指定不可能の指定を解除した後、上記一の機能の指定を有効とすることを特徴とする請求項１記載のファクシミリ装置。
【請求項５】
送信に関する各種機構が送信先で有効か無効かを設定した宛先−機能テーブルと、
一の送信先の指定が行われたとき、送信先の機能が有効か無効かを宛先−機能テーブルから検索し、送信先の機能が有効な場合は上記送信先の指定を有効とする一方、送信先の機能が無効な場合は上記送信先の指定を無効とする宛先指定制御手段とをさらに有することを特徴とする請求項１から４のいずれか１項に記載のファクシミリ装置。
【発明の詳細な説明】
【技術分野】
【０００１】
本発明は、公衆回線を介して他のファクシミリ装置と接続されたファクシミリ装置に関する。
【背景技術】
【０００２】
近年のファクシミリ装置は公衆回線によって他のファクシミリ装置と接続された多機能化されたものが開発されている。このようなファクシミリ装置において、送信に関する各種機能の中には、そのファクシミリ装置自体が同時に実行できない機能もある。この場合、そのような同時実行できない機能のうちの１つが有効と選択された場合には、選択された機能が互いに同時実行できない複数機能のうちの優先順位の高い機能であれば、それまで有効と設定されていた優先順位の低い機能を自動的に無効と設定したり、逆に優先順位の高い機能が有効と設定されている状態で優先順位の低い機能を有効と設定することがなされている。しかしながら、このような設定では、ユーザの使い勝手が悪いものとなっている。
【０００３】
これに対し、特許文献１には、機能の有効無効の選択を各機能の優先順位に関わりなくユーザの自由に行わせ、ユーザにより機能確認指示がなされた際に、同時に実行不可能な機能が選択されていないかをチェックし、実現不可能な組み合わせで機能が選択されている場合には、その時点で、改めて再設定を行わせるファクシミリ装置が開示されている。
【特許文献１】特開平７−３２１９６７号公報
【発明の開示】
【発明が解決しようとする課題】
【０００４】
しかしながら、特許文献１のファクシミリ装置では、各種機能のための指定操作を全て行った上で、チェックする必要があり、場合によっては、それまでの操作がほとんど否定される可能性もある。従って、たとえ再設定できたとしても、非常に面倒な操作が必要であり、ユーザが使用しにくい問題を有している。
【０００５】
本発明は、このような問題点を考慮してなされたものであり、送信に関する各種機能をユーザが使用しやすいように設定することが可能なファクシミリ装置を提供することを目的とする。
【課題を解決するための手段】
【０００６】
請求項１記載の発明は、公衆回線を介して他のファクシミリ装置と文書の送受信を行うファクシミリ装置であって、送信に関する各種機構を同時に組み合わせて指定可能か否かを予め設定すると共に、送信に関する各種機能を同時に一覧可能か否かを予め設定した機能相関テーブルと、一の機能の指定が行われたとき、当該一の機能と同時指定不可能な機能を機能相関テーブルから検索し、同時指定不可能な機能が指定されていない場合は上記一の機能の指定を有効とする一方、同時指定不可能な機能が指定されている場合は上記一の機能の指定を無効とする機能指定制御手段とを有することを特徴とする。
【０００７】
請求項２記載の発明は、請求項１記載の発明において、前記一の機能と同時指定不可能な機能を設定するための操作パネル上のボタンを半輝度表示し、指定できないことをユーザに通知することを特徴とする。
【０００８】
請求項３記載の発明は、請求項２記載の発明において、前記指定不可能を表示する半輝度表示となっている前記ボタンを押下した場合に、指定不可の原因である既に指定済の機能を表示することを特徴とする。
【０００９】
請求項４記載の発明は、請求項１記載の発明において、上記一の機能と同時指定不可能な機能が指定されている場合において、上記機能指定制御手段は、当該機能と上記一の機能とが同時一覧可能か否かを機能相関テーブルから検索し、同時一覧不可能な場合は上記一の機能の指定を無効とし、同時一覧可能な場合は上記同時指定不可能の指定を解除した後、上記一の機能の指定を有効とすることを特徴とする。
【００１０】
請求項５記載の発明は、請求項１から４のいずれか１項に記載の発明において、送信に関する各種機構が送信先で有効か無効かを設定した宛先−機能テーブルと、一の送信先の指定が行われたとき、送信先の機能が有効か無効かを宛先−機能テーブルから検索し、送信先の機能が有効な場合は上記送信先の指定を有効とする一方、送信先の機能が無効な場合は上記送信先の指定を無効とする宛先指定制御手段とをさらに有することを特徴とする。
【発明の効果】
【００１１】
本発明によれば、送信に関する各種機能の内、同時に指定不可能な組合せとなっている機能の指定優先順位を先優先とし、ある機能が指定済みの場合には、その機能と同時に指定不可能な組合せとなっている機能は指定しないため、ユーザの機能実現の優先順位が反映される操作順序と、機能の排他制御が一致し、ユーザが使用しやすいものとすることができる。
【発明を実施するための最良の形態】
【００１２】
図１は、本発明の一実施の形態におけるファクシミリ装置のブロック図を示し、ＣＰＵ１、ＲＯＭ２、ＲＡＭ３、操作表示部４、画情報読取部５、画情報出力部６、符号化復号化部７、画情報蓄積部８、モデム９、ＰＳＴＮ制御部１０、ＬＡＮ制御部１１、データバス１２によって構成されている。
【００１３】
ＣＰＵ１は、ＲＯＭ２に書き込まれたプログラムに従ってＲＡＭ３を作業領域として使用しながら、操作表示部４、画情報読取部５、画情報出力部６、符号化復号化部７、画情報蓄積部８、モデム９、ＰＳＴＮ制御部１０、ＬＡＮ制御部１１、データバス１２を制御する。
【００１４】
ＲＯＭ２には、制御用のプログラムが格納されている。また、この実施の形態において、ＲＯＭ２には、機能指定制御手段及び宛先指定制御手段が格納されており、ＣＰＵ１は、これらの制御手段をＲＯＭ２から読み出すことにより、後述するように送信に関する各種機能の有効無効を選択する。
【００１５】
画情報読取部５は所定の読み取り密度で原稿画像を読み取ることにより画情報を得る。画情報出力部６は受信した画情報をその密度に応じて記録出力（コピー）したり、画情報読取部５が読み取った画情報をその密度に応じて記録出力（コピー）する。
【００１６】
画情報蓄積部８は、画情報読取部５で読み取った画情報をメモリ送信するために一時的にファイルとして蓄積したり、受信した画情報を画情報出力部６により記録するまでファイルとして一時的に蓄積する。また、画情報蓄積部８は通信管理レポート等の各種レポートの画情報やワンタッチダイヤル登録リストや短縮ダイヤル登録リストの画情報をフォント展開して作成するための一時的な記憶領域としても使用される。
【００１７】
符号化復号化部７は、送信画像データをファクシミリに適合するＭＨ符号化方式、ＭＲ符号化方式、ＭＭＲ符号化方式等の所定の符号化方式で符号化圧縮する一方、受信画像データをＭＨ符号化方式、ＭＲ符号化方式、ＭＭＲ符号化方式等に対応する所定の復号化方式で復号伸長する。
【００１８】
操作表示部４には、相手先ファクシミリ番号を指定するためのテンキー、送信スタートキー、ワンタッチダイヤルキー、及び、その他各種キーが配設される一方、液晶表示装置等の表示器を備えることにより、ユーザに知らせるべきファクシミリ装置の動作状態や各種メッセージを表示する。
【００１９】
モデム９はファクシミリモデムであり、送信データを変調する一方、受信データを復調する。また、モデム９は入力されたダイヤル番号に対応してＤＴＭＦ信号の送出も行う。ＰＳＴＮ制御部１０は公衆回線に接続されることにより、回線の直流ループの閉結・解放や、回線の極性反転の検出、回線解放の検出、発信音の検出、ビジートーン（話し中）等のトーン信号の検出、呼出信号の検出等の回線との接続制御や、ダイヤルパルスの生成を行う。
【００２０】
以下、ファクシミリ装置の作動について説明する。なお、ここで説明するのは、この実施の形態に関わる点についてのみとする。すなわち、送信操作における宛先指定と機能設定に関する処理以外の一般的なファクシミリ装置の動作に関する説明は省略する。
【００２１】
図２は、送信に関する機能相関テーブルであり、ＲＯＭ２に格納されている。図２に示す機能相関テーブルには、ある機能（一の機能）Ａとその他の機能が同時に組合せて指定可能な否かの情報（「組合せ可／不可」欄）と、ユーザが機能Ａとその他の機能の設定状況を操作表示部４において同時に一覧可能か否かの情報（「一覧可／不可」欄）とが格納されている。例えば、機能Ｂについては、「組合せ可／不可」欄が『可』となっているので、機能Ａと同時に組合せて指定可能である。また、「一覧可／不可」欄が『不可』となっているので、機能Ａと機能Ｂの設定状況を同時に一覧することができない。このテーブルは、後述する機能指定処理において、検索されるテーブルである。
【００２２】
図３は、宛先種別と機能との相関が設定される宛先-機能相関テーブルであり、ＲＯＭ２に格納されている。このテーブルには、ある機能がどの宛先種別で有効となるかの情報が格納されている。例えば、機能Ｃについては、「ファクス宛先」欄が『無効』となっているので、ファクス宛先指定時には、指定することができない。このテーブルは、後述される宛先指定処理において、検索されるテーブルである。
【００２３】
図４は、機能指定制御手段が行う機能指定処理を示すフローチャートである。図４に示すように、例えば、ある機能Ａの指定操作が行われた場合（ステップＳ１０）には、その操作が終了した時点で（ステップＳ１１）、図２の機能Ａの機能相関テーブルを参照する（ステップＳ１２）。このテーブルで機能Ａと組合せ不可の機能を検索し、それらの機能が既に指定済みか否かをチェックする（ステップＳ１３）。指定済みの機能が１つもなかった場合には、機能Ａの指定を確定する（ステップＳ１６）。
【００２４】
これに対し、指定済みの機能が１つでもあった場合には、それらの機能の設定状況が機能Ａと同時に一覧可能か否かをチェックする（ステップＳ１４）。その際も、図２の機能相関テーブルを参照する。ステップＳ１４における検索の結果、同時に一覧不可能であれば、機能Ａの指定操作を解除する。一方、同時に一覧可能であれば、既に指定済みの、機能Ａと同時に組合せ不可の機能を解除し（ステップＳ１５）、機能Ａを指定済み状態とする（ステップＳ１６）。
【００２５】
このような制御では、送信に関する各種機能の内、同時に指定不可能な組合せとなっている機能の指定優先順位を先優先とし、ある機能が指定済みの場合には、その機能と同時に指定不可能な組合せとなっている機能を指定しないため、一般にユーザの機能実現の優先順位が反映される操作順序と、機能の排他制御とが一致し、ユーザにわかりやすいものとすることができる。
【００２６】
また、送信に関する各種機能の内、同時に指定不可能な組合せとなっている機能の設定状況が一覧可能な場合に限って、それらの機能の指定優先順位を後優先とし、ある機能が指定済みの場合に、その機能と同時に指定不可能な組合せとなっている機能を指定可能とし、実際に指定された場合には、先に指定されていた機能を解除するため、後から指定した機能を優先させたい場合に、先に指定済みの機能を解除してから指定する必要がなくなり、便利となる。
【００２７】
図５は、宛先指定制御手段が行う宛先指定処理を示すフローチャートである。図５に示すように、例えば、ファクス宛先の入力操作が行われた場合（ステップＳ２０）には、その操作が終了した時点で（ステップＳ２１）、図３の宛先−機能相関テーブルを参照する（ステップＳ２２）。
【００２８】
このテーブルでファクス宛先で無効な機能を検索し、それらの機能が既に指定済みか否かをチェックする（ステップＳ２３）。指定済みの機能が１つもなかった場合には、ファクス宛先の指定を確定する（ステップＳ２６）。指定済みの機能が１つでもあった場合には、それらの機能を解除し（ステップＳ２５）、ファクス宛先の指定を確定する（ステップＳ２６）。
【００２９】
なお、この実施の形態では、ある機能が指定済みの状態で、その機能と同時に指定不可能な組合せとなっている機能に対し、その機能設定のための操作パネル（図１における操作表示部４）上のボタンを半輝度表示することができ、これにより、指定できないことをユーザに通知しても良い。これにより、指定できないことをユーザに通知することができ、便利となる。
【００３０】
また、指定不可能であるため半輝度表示となっているボタンを押下した際に、指定不可の原因である既に指定済みの機能を表示してユーザに通知しても良い。これにより、指定不可の原因である既に指定済みの機能を表示して、ユーザに通知するため、その後の対処を円滑に行うことができる。
【００３１】
さらに、指定優先順位が後優先の関係にある機能の組合せにおいて、一方が既に指定されている状態で他方を指定しようとした際、先に指定されていた機能を解除するか否かをユーザに選択させることができる。そして、「解除」が選択された場合には、先に指定されていた機能を解除して後から指定した機能を有効とし、「解除しない」が選択された場合には、後から指定された機能の指定を無効とすることが可能である。
【００３２】
このようにすることにより、先に指定されていた機能を解除するか否かをユーザに選択させるため、ユーザの判断により先優先／後優先を自由に選択することができ、使い勝手が良好となる。
【図面の簡単な説明】
【００３３】
【図１】本発明の一実施形態のブロック図である。
【図２】機能相関テーブルの概念図である。
【図３】宛先−機能テーブルの概念図である。
【図４】機能指定処理のフローチャートである。
【図５】宛先指定処理のフローチャートである。
【符号の説明】
【００３４】
１    ＣＰＵ
２    ＲＯＭ
３    ＲＡＭ
４    操作表示部
５    画情報読取部
６    画情報出力部
７    符号化複合化部
８    画情報蓄積部
９    モデム
【図１】
2006148713.tif 000003
【図２】
2006148713.tif 000004
【図３】
2006148713.tif 000005
【図４】
2006148713.tif 000006
【図５】
2006148713.tif 000007